(57)【特許請求の範囲】
【請求項１】
複数の記録紙を収納する記録紙収納部と、プリンタ内で切断された記録紙の切屑を収納する切屑収納部とを備え、プリンタの給紙部にセットされる給紙カセットにおいて、
前記給紙部にセットする際に切屑収納部を自動的に開放し、給紙部から取り外す際に該切屑収納部を自動的に閉鎖するシャッタ機構を設けたことを特徴とする給紙カセット。
【請求項２】
前記シャッタ機構は、切屑収納部を開放する開放位置と切屑収納部を閉鎖する閉鎖位置との間で移動自在とされたシャッタ板と、このシャッタ板を閉鎖位置に向けて付勢するシャッタバネとからなり、該シャッタ板は給紙部へのセット時にプリンタの構成部品に押圧されて閉鎖位置から開放位置へと移動することを特徴とする請求項１記載の給紙カセット。
【請求項３】
前記シャッタ板は、給紙部へのセット方向に沿ってスライド自在とされていることを特徴とする請求項２記載の給紙カセット。
【請求項４】
前記切屑収納部に、シャッタ板が閉鎖位置にある際に、該シャッタ板のスライド方向と直交する先端縁を受けとめる受け部を設けたことを特徴とする請求項３記載の給紙カセット。
【請求項５】
前記シャッタ板の先端縁の受け部に対面する側に、シャッタ板の厚み方向で傾斜された傾斜面を設け、該受け部には先端縁の傾斜面と同角度の傾斜を設けたことを特徴とする請求項４記載の給紙カセット。
【請求項６】
前記シャッタ板の先端縁と、切屑収納部の受け部とのいずれか一方に切欠を形成し、他方に切欠と係合する突起を形成したことを特徴とする請求項４または５記載の給紙カセット。
【請求項７】
前記シャッタバネは、シャッタ板の厚み内に納まるように設けられていることを特徴とする請求項２ないし６いずれか記載の給紙カセット。
【請求項８】
前記切屑収納部の入り口近傍には、切屑を該切屑収納部の奥に搬送する切屑搬送ベルトが組み込まれていることを特徴とする請求項１ないし７いずれか記載の給紙カセット。
【発明の詳細な説明】
【０００１】
【発明の属する技術分野】
本発明は、給紙カセットに関し、更に詳しくは記録紙の切屑を収納する切屑収納部を備えた給紙カセットに関するものである。
【０００２】
【従来の技術】
プリンタ、例えば感熱プリンタとして、感熱記録紙を複数回往復搬送させながら、サーマルヘッドにより３色面順次でフルカラー画像を記録するものが知られている。サーマルプリンタでは、搬送ローラでニップした状態で感熱記録紙の往復動が行われる。この搬送ローラに近い位置にサーマルヘッドが配置されているので、搬送ローラとサーマルヘッドとの間の距離に相当する部分には、画像を記録することができず、この部分が余白となる。また、サーマルヘッドは、プラテンローラとの間で感熱記録紙をニップしているが、感熱記録紙からはみ出ているるサーマルヘッドの部分でプラテンローラを加熱すると、プラテンローラが熱変形したり、寿命が劣化したりする。そこで、感熱記録紙の両側に余白部を残し、その両側に画像を記録している。これらの理由から、プリント済みの感熱記録紙は、四辺に沿って余白が形成されている。
【０００３】
ところで、最近は余白のないプリントを望むユーザーが増えている。また、感熱記録紙としてはハガキサイズが広く用いられているが、このサイズでは写真アルバムを貼る時に、大き過ぎて不便であるという問題もある。このため、記録後の記録紙の前後端の余白をカットする剪断方式の前後端カッタや、記録紙の側端余白部を切断するロータリカット方式のスリッタ等を設けることが望ましい。
【０００４】
このような余白をカットするための切断手段を設けた場合に、余白の切屑がプリンタ内で散乱することになる。そこで、切屑をプリンタ内から容易に取りだして廃棄することができるように、カッタの下部に切屑を集積する屑箱を備えたプリンタも提案されている。
【０００５】
また、屑箱を別途設ける代わりに、切屑を収納する切屑収納部を設けた給紙カセットも提案されている。更に、切屑収納部の入り口付近に切屑が溜まるのを防止するために、切屑を切屑収納部の奥まで搬送する搬送ベルトを組み込んだ給紙カセットも発明されている。搬送ベルトは、給紙カセットがプリンタにセットされた際に、プリンタ側に設けられたベルト駆動機構に連結する。
【０００６】
【発明が解決しようとする課題】
上記搬送ベルトは、切屑の重量が軽いことや、給紙カセットを大型化させない等の目的のために肉厚の薄いゴムを用いている。そのため、搬送ベルトに直接に手が触れると、搬送ベルトがずれたり、捲れてしまったり、傷がついて切れてしまう等の問題が発生する。また、光による劣化で切断されたり、ゴミの付着による動作障害等も考えられる。
【０００７】
また、切屑収納部内に切屑が大量に溜まっている状態で給紙カセットをプリンタから取り外そうとした場合、切屑収納部からあふれた切屑がプリンタの給紙機構等に絡まって破損させてしまうことも考えられる。
【０００８】
本発明は、給紙カセットが単体であるときに、搬送ベルトを保護することを目的とする。
【０００９】
【課題を解決するための手段】
上記目的を達成するために、本発明の給紙カセットは、給紙部にセットする際に切屑収納部を開放し、給紙部から取り外す際に切屑収納部を閉鎖するシャッタ機構を設けたものである。
【００１０】
上記シャッタ機構としては、例えば、切屑収納部を開放する開放位置と切屑収納部を閉鎖する閉鎖位置との間で移動自在とされたシャッタ板と、このシャッタ板を閉鎖位置に向けて付勢するシャッタバネとから簡素に構成することができる。また、給紙カセットのセットと取り外しとの動作に合わせて、シャッタ板をスライド自在としてもよい。
【００１１】
また、閉鎖位置にある際のシャッタ板が適正な位置で位置決めされるように、切屑収納部に、シャッタ板の先端縁を受ける受け部を設けたり、先端縁と受け部との双方に傾斜面を設けてもよいし、切欠と突起とをシャッタ板の先端縁と切屑収納部の受け部とのそれぞれに設けてもよい。更に、給紙カセットの厚み方向の寸法を小さくするために、シャッタバネはシャッタ板の厚み内に納まるように組み込むことが好ましい。
【００１２】
【発明の実施の形態】
図１は、本発明を実施した給紙カセット２が使用されるカラー感熱プリンタ３の外観図である。感熱プリンタ３の前面中央には、給紙カセット２がセットされるカセット挿入口４が設けられている。カセット挿入口４の奥には、セットされた給紙カセット２からカラー感熱記録紙５を引き込み、印画済みのカラー感熱記録紙５を排出する給紙部６が組み込まれている。
【００１３】
給紙カセット２は、挿入方向の先端側の半分ほどが給紙部６内に納められ、挿入方向の後端側が機器外に突出される。給紙カセット２の上面は、印画済みのカラー感熱記録紙５を集積する排紙トレイ部８である。カセット挿入口４の側方には、カラー感熱プリンタ３の電源のオン／オフを行うメインスイッチ９や、電源オン時に点灯するパイロットランプ１０が設けられている。
【００１４】
図２は、カラー感熱プリンタ３の給紙部付近の要部断面図である。カセット挿入口から挿入された給紙カセット２は、給紙部６内で位置決めされて保持される。給紙カセット２の上面に設けられた開口１２には、給紙部６内に組み込まれた給紙ローラ１３が入り込み、給紙カセット２の下部の記録紙収納部１５内に積層して収納されたカラー感熱記録紙５の上面に当接する。給紙ローラ１３は、プリント時に図中時計方向の給紙方向に回転し、最上層のカラー感熱記録紙５を給紙カセット２の背面に設けられた送出口１６から給紙カセット２外に送り出す。
【００１５】
給紙カセット２から送り出されたカラー感熱記録紙５は、給紙通路１８を通って給紙部６の奥に設けられたプリント部２０に搬送される。プリント部２０は、詳しくは図示しないが、カラー感熱記録紙５を挟み込んで搬送する一対の搬送ローラと、この搬送ローラで搬送中のカラー感熱記録紙５に圧接して、イエロー，マゼンタ，シアンの３つの感熱発色層に面順次で印画を行うサーマルヘッドと、カラー感熱記録紙５をサーマルヘッドに押しつけるプラテンローラと、イエロー感熱発色層への印画後とマゼンタ感熱発色層の印画後とに、紫外線を照射して各感熱発色層を定着する光定着器とからなる。
【００１６】
印画が完了したカラー感熱記録紙５は、給紙部６の上方に設けられた排紙通路２２を通って、カセット挿入口４から給紙カセット２の排紙トレイ部８上に排出される。排紙通路２２内には、カラー感熱記録紙５の四隅の余白を切り落とす前端切断用カッタ２３と、後端切断用カッタ２４と、一対のスリッタ２５が配置されている。
【００１７】
前端切断用カッタ２３は、カラー感熱記録紙５の主走査方向に延びた固定刃２３ａと可動刃２３ｂとから構成されている。そして、カラー感熱記録紙５が所定の位置に到達した際に、可動刃２３ｂを降下してカラー感熱記録紙５の記録領域よりも前端側の余白である前端余白部を切り落とす。同様に、後端切断用カッタ２４も固定刃２４ａと可動刃２４ｂとから構成され、カラー感熱記録紙５の記録領域よりも後端側の余白である後端余白部を切り落とす。スリッタ２５は、上刃２５ａと下刃２５ｂとからなるロータリー式カッタであり、排紙中のカラー感熱記録紙５の記録領域両側に形成された両側余白部を切り落とす。
【００１８】
排紙通路２２と、給紙カセット２がセットされる給紙部６とはつながっており、各カッタ２３，２４で切り落とされた切屑２７と、スリッタ２５で切り落とされたスリット屑２８とは、給紙カセット２の排紙トレイ部８と記録紙収納部１４との間に設けられた切屑収納部３０内に集積される。
【００１９】
図３は、給紙カセット２の外観を示す斜視図であり、図４は給紙カセット２の構成を示す分解斜視図である。給紙カセット２は、カラー感熱記録紙５が収納される記録紙収納部１４と、切屑２７とスリット屑２８とが収納される切屑収納部３０と、印画済みのカラー感熱記録紙５が載置される排紙トレイ部８とを備えている。
【００２０】
記録紙収納部１４は、遮光性を有するプラスチックで略箱形状に形成され、シート状、例えばハガキサイズのカラー感熱記録紙５が積層して収納されるたカセット本体３２と、このカセット本体３２の上部にヒンジ部３３で回動自在となるように取り付けられた蓋部材３４とからなる。記録紙収納部１４へのカラー感熱記録紙５のセットは、蓋部材３４を開放して行う。カセット本体３２と蓋部材３４との前端部には、蓋部材３４を閉じ位置でロックするロック機構が設けられており、このロック機構の解除は解除レバー３５のスライド操作によって行われる。
【００２１】
上記蓋部材３４の後端側の上面には、カラー感熱記録紙５の給紙方向と直交する方向で回転自在とされた２本の回転軸３７，３８と、薄いゴムで形成されて２本の回転軸３７，３８の間に等間隔で掛けられた３本の搬送ベルト３９ａ，３９ｂ，３９ｃとからなる切屑搬送機構４０が組み込まれている。後端側の回転軸３７の端部には、回転軸３７を回転駆動する連結ギヤ４１が取り付けられている。この連結ギヤ４１は、給紙カセット２がカラー感熱プリンタ３にセットされた際に、プリンタ内に設けられた駆動ギヤに噛合する。この切屑搬送機構４０は、切屑収納部３０の一部を構成し、各カッタ２３，２４で切断されたカラー感熱記録紙５の切屑２７は３本の搬送ベルト３９ａ〜３９ｃ上に落下する。そして、３本の搬送ベルト３９ａ〜３９ｃを駆動することにより、切屑２７を切屑収納部３０の奥に送り込む。
【００２２】
切屑収納部３０は、蓋部材３４の上面３４ａと、この蓋部材３４の上部に取り付けられるカバー部材４３と、切屑収納部３０から切屑２７を取り出して廃棄する際に開放される廃棄蓋４４と、蓋部材３４とカバー部材４３との間に組み込まれる支持板４５と、カバー部材４３と支持板４５との間に組み込まれるシャッタ板４６と、このシャッタ板４６がカバー部材４３から飛び出す方向に付勢する二つのシャッタバネ４７ａ，４７ｂと、前述した切屑搬送機構４０とからなる。前記カバー部材４３と、廃棄蓋４４と、支持板４５と、シャッタ板４６とは、切屑収納部３０内に収納された切屑２７の量を視認できるように透明なプラスチックで形成されている。
【００２３】
カバー部材４３は、カラー感熱記録紙５の搬送方向と直交する方向での断面が、下方に向けて開放された略コ字型とされており、蓋部材３４の上面３４ａとともに蓋部材３４の上部の空間を閉鎖して切屑収納部３０を形成する。カバー部材４３の上面は、カセット挿入口４の上部から排出された印画済みのカラー感熱記録紙５を受ける排紙トレイ部８となっている。カバー部材４３の上面両側方には、排紙トレイ部８からのカラー感熱記録紙５の落下を防止する規制片４３ａが立設されている。
【００２４】
廃棄蓋４４は、カバー部材４３の前端側と蓋部材３４の上面３４ａとで形成される切屑収納部３０の廃棄口４９（図６参照）を覆う形状とされており、両端に設けられた支持片４４ａが蓋部材３４の上面両側方に立設されたリブ３４ｂに回動自在に取り付けられることで、廃棄口４９を開閉する。
【００２５】
支持板４５は、蓋部材３４のリブ３４ｂの上に位置決めして載置され、その上部にカバー部材４３が取り付けられることで固定される。支持板４５の上面には、シャッタ板４６を給紙カセット２のセット方向に沿ってスライド自在に支持する凹部５１が形成されている。この凹部５１の幅は、シャッタ板４６が支障なくスライドできるように、シャッタ板４６の幅よりも若干広く形成されている。
【００２６】
支持板４５の凹部５１の両側方には、カラー感熱プリンタ３のスリッタ２５で切断されたカラー感熱記録紙５のスリット屑２８を受け、切屑収納部３０内に導く誘導片５２が一体に形成されている。この誘導片５２とカバー部材４３の上面とによって、スリット屑２８を受け入れる切屑受入れ口５３が形成され、スリット屑２８はカラー感熱記録紙５の排紙とともに切屑受入れ口５３から切屑収納部３０に送り込まれる。
【００２７】
支持板４５の凹部５１内には、シャッタ板４６の下面に立設された２本のスライドピン４５ａが挿入される規制溝５４と、シャッタバネ４７ａ，４７ｂがそれぞれ納められるバネ収納溝５５ａ，５５ｂとが設けられている。シャッタ板４６は、スライドピン４５ａ，４５ｂが挿入された規制溝５４に沿ってスライドし、スライドピン４５ａ，４５ｂが規制溝５４の内壁面に当接する位置でスライドが規制される。
【００２８】
シャッタバネ４７ａ，４７ｂは、支持板４５のバネ収納溝５５ａ，５５ｂの端部にそれぞれ立設されたバネ掛け片５７ａ，５７ｂと、シャッタ板４６の下面の端縁に形成されたバネ掛け片５８ａ，５８ｂとに両端がそれぞれ掛けられる。これにより、シャッタバネ４７ａ，４７ｂはシャッタ板４６をカバー部材４３の後端側から突出する方向、すなわち、図３に示すように、切屑搬送機構４０の上方を覆って保護する方向に付勢する。また、シャッタバネ４７ａ，４７ｂは、バネ収納溝５５ａ，５５ｂとシャッタバネ４６との間に組み込まれるため、給紙カセット２の厚み方向の大型化に影響を与えない。
【００２９】
シャッタ板４６は略板形状であり、切屑搬送機構４０を覆い隠す閉じ位置と、図５に示すように、切屑搬送機構４０を露呈する開き位置との間でスライド自在となるように、カバー部材４３と支持板４５との間に組み込まれる。シャッタ板４６の上面のスライド方向の先端側には、上方に向けて突出された被押圧片６０が一体に形成されている。この被押圧片６０は、給紙カセット２がカラー感熱プリンタ３のカセット挿入口４に挿入された際に、カセット挿入口４の奥に配置された押圧片６１に当接する。そして、給紙カセット２を所定の位置までカラー感熱プリンタ３内に挿入すると、押圧片６１に被押圧片６０が押圧され、シャッタ板４６はカバー部材４３内に収納される方向にスライドする。これにより、給紙カセット２のセットと同時に自動的に切屑搬送機構４０の上方が開放され、カラー感熱プリンタ３内で切断されたカラー感熱記録紙５の切屑２７を切屑収納部３０内に受け入れる準備が完了する。
【００３０】
また、給紙カセット２をカラー感熱プリンタ３から取り出した際には、シャッタバネ４７ａ，４７ｂの付勢によって切屑搬送機構４０の上方が覆い隠される。これにより、給紙カセット２が単体であるときに切屑搬送機構４０の搬送ベルト３９ａ〜３９ｃへのアクセスが規制されるため、搬送ベルト３９ａ〜３９ｃのずれや捲れ、傷の発生による切断や光による劣化、ゴミの付着等を効果的に防止することができる。
【００３１】
図６に示すように、蓋部材３４の切屑搬送機構４０の後部には、シャッタ板４６が閉じ位置にスライドした際に、シャッタ板４６の先端縁を受け止める受け部６３が設けられている。この受け部６３とシャッタ板４６の先端縁の下面とには、角度が合わせられた傾斜面が形成されている。そのため、シャッタ板４６が閉じ位置にスライドした際に先端縁が受け部６３の上に乗りやすくなり、シャッタ板４６の先端縁の上下方向でのずれが規制される。
【００３２】
また、受け部６３の中央には三角形の突起６５が突設されており、シャッタ板４６の先端縁には突起６５が係合する三角形の切欠６６が形成されている。これにより、閉じ位置にある際のシャッタ板４６の左右方向でのずれが規制される。これら、シャッタ板４６の傾斜面及び切欠６６と、受け部６３の傾斜及び突起６５とにより、閉じ位置のシャッタ板４６は適切な位置に位置決めされるため、給紙カセット２をカラー感熱プリンタ３にセットした際の押圧片６１と被押圧片６０との当接を確実なものとすることができる。
【００３３】
次に，上記プリンタの作用について説明する。カラー感熱プリンタ３は、例えば、パーソナルコンピュータに接続されて使用され、プリント形態やプリント枚数，プリント開始の指示等はパーソナルコンピュータから行われる。カラー感熱プリンタ３でプリントを行うための準備として、図１に示すように、記録紙収納部１４にカラー感熱記録紙５が収納された給紙カセット２をカセット挿入口４に挿入する。
【００３４】
給紙カセット２がカラー感熱プリンタ３にセットされずに単体である際には、図３及び図６に示すように、シャッタバネ４７ａ，４７ｂによって付勢されたシャッタ板４６によって、切屑搬送機構４０の上方が覆われて保護されている。そのため、切屑搬送機構４０の搬送ベルト３９ａ〜３９ｃが直接触られることがなく、搬送ベルト３９ａ〜３９ｃのずれや捲れ、傷の発生による切断や光による劣化、ゴミの付着等が阻止されている。
【００３５】
図２に示すように、上記給紙カセット２をカセット挿入口４に挿入すると、シャッタ板４６の被押圧片６０がカセット挿入口４の奥に組み込まれた押圧片６１に押圧される。これにより、図２及び図５に示すように、シャッタバネ４７ａ，４７ｂの付勢に抗してシャッタ板４６がカバー部材４３内に押し込まれ、切屑搬送機構４０が露呈される。
【００３６】
給紙カセット２のセット後、メインスイッチ９を操作してカラー感熱プリンタ３の電源をオンする。そして、パーソナルコンピュータ上にてプリントする画像を選択し、プリント開始操作を行う。プリントが指示されると、給紙ローラ１３が給紙方向に回転し、給紙ローラ１３に接している最上面のカラー感熱記録紙５が送出口１６から給紙カセット２外に送り出される。送り出されたカラー感熱記録紙５は、給紙通路１８を通ってプリント部２０に搬送される。
【００３７】
プリント部２０では、搬送ローラによってカラー感熱記録紙が往復搬送され、その間にサーマルヘッドによってイエロー感熱発色層，マゼンタ感熱発色層，シアン感熱発色層に印画が行われる。また、イエロー感熱発色層とマゼンタ感熱発色層とへの印画後には、光定着器から紫外線が照射され、画像の定着が行われる。
【００３８】
フルカラープリントの完了したカラー感熱記録紙５は、排紙通路２２に送り出される。この排紙通路２２内では、カラー感熱記録紙５は排紙ローラ対６８によってニップされ、カセット挿入口４に向けて搬送される。その途中で、カラー感熱記録紙５の前端側切断予定位置が前端切断用カッタ２３に達すると一旦紙送りを停止し、可動刃２３ｂが降下してカラー感熱記録紙５の記録領域よりも前端側の余白である前端余白部を切屑２７として切屑搬送機構４０の上に切り落とす。カラー感熱プリンタ３は、可動刃２３ｂの降下とともにモータによって駆動ギヤを回転させ、これに連結する連結ギヤ４１を搬送方向に回転させる。これにより、搬送ベルト３９ａ〜３９ｃが駆動し、切屑２７は切屑収納部３０の奥に送り込まれる。
【００３９】
前端余白部の切断後に再び紙送りを行ない、カラー感熱記録紙５の後端側切断予定位置が後端切断用カッタ２４に達すると再び紙送りを停止し、可動刃２４ｂが降下してカラー感熱記録紙５の記録領域よりも後端側の余白である後端余白部の切屑２７を切屑搬送機構４０上に切り落とす。カラー感熱プリンタ３は、前記前端余白部の切断と同様に、可動刃２４ｂの降下とともに搬送ベルト３９ａ〜３９ｃを駆動させ、切屑２７を切屑収納部３０の奥に送り込む。なお、前端側の切断カッタと後端側の切断カッタとを１つで兼用しても良い。
【００４０】
上述した前端余白部の切断後の搬送によって、カラー感熱記録紙５の先端はスリッタ２５に送り込まれ、両サイドの余白がスリット屑２８として切り落とされている。スリット屑２８の先端は、切屑受入れ口５３の中に落ち込み、誘導片５２に導かれて切屑収納部３０内に入り込む。そして、カラー感熱記録紙５の排紙にともなって、切屑収納部３０の奥に収納される。周囲の余白が全て切り落とされたカラー感熱記録紙５は、カセット挿入口４の上部から排紙トレイ部８上に排紙される。以上で１枚分のフルカラープリントが完了する。
【００４１】
なお、切屑収納部３０に送り込まれたスリット屑２８は、後端が誘導片５２上に載置された状態となり、その後端縁は、切屑受入れ口５３のスリット屑２８が進入してくる位置よりも給紙カセット２の後部側に配置される。これにより、次に送り込まれるスリット屑２８の先端縁が先に収納されているスリット屑２８の後端縁に突き当たって、切屑受入れ口５３にスリット屑２８が詰まるようなことはない。また、先に収納されているスリット屑２８は、次に送り込まれるスリット屑２８のガイドとなるため、スリット屑２８をきれいに積層した状態で収納することができる。
【００４２】
給紙カセット２に収納されているカラー感熱記録紙５が少なくなった場合には、給紙カセット２をカラー感熱プリンタ３のカセット挿入口４から引き出す。すると、シャッタバネ４７ａ，４７ｂの付勢によってシャッタ板４６が自動的に閉じられるため、切屑搬送機構４０は適切に保護される。これにより、給紙カセット２の取り外し時に、切屑がカラー感熱プリンタ内の機構に引っかかるようなことはない。
【００４３】
また、シャッタ板４６が閉じる際には、シャッタ板４６の先端縁が受け部６３によって受けられ、先端縁の傾斜面と受け部の傾斜面とが合致するため、シャッタ板４６の先端縁の上下方向でのずれは発生しない。更に、シャッタ板４６の切欠６６と受け部６３の突起６５とが係合するため、シャッタ板４６の先端縁の左右方向でのずれも発生しない。これにより、給紙カセット２を再度カラー感熱プリンタ３にセットした際に、被押圧片６０と押圧片６０との当接が確実なものとなる。
【００４４】
カラー感熱記録紙５の補充時には、切屑２７及びスリット屑２８の廃棄も行うとよい。これら切屑２７及びスリット屑２９の廃棄は、廃棄蓋４４を図６中に２点鎖線で示すように回動させ、廃棄口４９を露呈させればよいので、シャッタ板４６がユーザによって無理に開放されることはなく、切屑搬送機構４０の保護を継続することができる。
【００４５】
なお、上記実施形態では、シャッタ板４６の開き位置と閉じ位置での移動を給紙カセット２のセット方向に沿ってスライドさせるようにしたが、カム機構やリンク機構を用いて別の方向にスライドさせてもよい。また、シャッタ板は回動によって開閉することもできる。
【００４６】
更に、シャッタ板４６に切欠６６を形成し、受け部６３に突起６５を形成したが、シャッタ板４６に突起を形成し、受け部６３に切欠を形成してもよい。また、シャッタ板４６は透明なプラスチックで形成したが、給紙カセット２が単体である際には、シャッタ板４６が切屑収納部３０を隠さないので、不透明なプラスチックで形成してもよい。
【００４７】
また、上記実施形態ではカラー感熱プリンタを例に説明したが、例えば熱転写プリンタ、インクジェットプリンタ、レーザープリンタ等の様々なプリンタにも適用可能である。
【００４８】
【発明の効果】
以上説明したように、本初発明の給紙カセットによれば、給紙カセットを取り出す際にシャッタ板によって切屑収納部を閉じるようにしたので、切屑が溢れ出ることはない。また、給紙カセットが単体である際には、切屑収納部内に組み込まれた切屑搬送用の搬送ベルトを適切に保護することができる。
【００４９】
更に、シャッタ板の移動は、最小の部品構成で給紙カセットのセット動作を利用して移動させるようにしたので、ローコストに採用することができる。
【００５０】
また、閉鎖時のシャッタ板の先端縁を位置決めするようにしたので、シャッタ板のずれによる破損を防止し、給紙カセットの再装填時の動作信頼性を向上させることができる。
【図面の簡単な説明】
【図１】本発明の給紙カセットとこれを使用するカラー感熱プリンタの外観斜視図である。
【図２】カラー感熱プリンタの給紙部近傍の要部断面図である。
【図３】シャッタ板閉鎖時の給紙カセットの外観を示す斜視図である。
【図４】給紙カセットの構成を示す分解斜視図である。
【図５】シャッタ板開放時の給紙カセットの外観を示す斜視図である。
【図６】給紙カセットの要部断面図である。
【符号の説明】
２  給紙カセット
３  カラー感熱プリンタ
４  カセット挿入口
５  カラー感熱記録紙
６  給紙部
８  排紙トレイ部
１４  記録紙収納部
３０  切屑収納部
３７，３８  回転軸
３９  搬送ベルト
４０  切屑搬送機構
４３  カバー部材
４４  廃棄蓋
４５  支持板
４６  シャッタ板
４７  シャッタバネ
６３  受け部
６５  突起
６６  切欠
【図１】
0004172891.tif 000002
【図２】
0004172891.tif 000003
【図３】
0004172891.tif 000004
【図４】
0004172891.tif 000005
【図５】
0004172891.tif 000006
【図６】
0004172891.tif 000007